(57)【要約】【課題】部品点数が少なく簡易な構成であるタンク・ポンプ間の配管構造を提供すること。【解決手段】本発明によるタンク・ポンプ間の配管構造３４は、動力噴霧機１０における薬液タンク１２の側壁部１４に形成された、外方に突出する筒状の液体取出口３６と、ポンプ２０の吸込口３２を囲むよう一端４０が該吸込口に装着され、他端４２が液体取出口からタンク内に延びる第１のホース３８と、一端が第１のホースの一端４０をポンプ吸込口との間で挟むよう該吸込口に装着され、他端４８が液体取出口を囲むよう該液体取出口に装着される第２のホース４４とを備えることを特徴とする。このような配管構造においては、部品としては基本的には２本のホース３８，４４しか必要がなく、その組立もタンクの外側からのみ行えばよく、簡易な構成である。【選択図】　図２
2004066087.tif 000002
【特許請求の範囲】
【請求項１】
タンク（１２）内に貯留された液体をポンプ（２０）の吸込口（３２）に供給するための配管構造（３４）であって、
前記タンク（１２）の側壁部（１４）に形成された、外方に突出する筒状の液体取出口（３６）と、
前記ポンプ（２０）の前記吸込口（３２）を囲むよう一端（４０）が該吸込口（３２）に装着され、他端（４２）が前記液体取出口（３６）から前記タンク（１２）内に延びる第１のホース（３８）と、
一端（４６）が前記第１のホース（３８）の前記一端（４０）を前記ポンプ（２０）の前記吸込口（３２）との間で挟むよう該吸込口（３２）に装着され、他端（４８）が前記液体取出口（３６）を囲むよう該液体取出口（３６）に装着される第２のホース（４４）と
を備えることを特徴とするタンク・ポンプ間の配管構造。
【請求項２】
前記第２のホース（４４）における前記一端（４６）及び前記他端（４８）がそれぞれ、ホースバンド（５０，５２）により増締めされていることを特徴とする請求項１に記載のタンク・ポンプ間の配管構造。
【請求項３】
前記タンク（１２）及び前記ポンプ（２０）がそれぞれ、動力噴霧機（１０）における薬液タンク（１２）及び該薬液タンク（１２）の側壁部（１４）に隣接配置されたポンプ（２０）であることを特徴とする請求項１又は２に記載のタンク・ポンプ間の配管構造。
【発明の詳細な説明】
【０００１】
【発明の属する技術分野】
本発明は、バッテリ式動力噴霧機等におけるタンクとポンプの吸込口とを結ぶ配管構造に関する。
【０００２】
【従来の技術】
例えば農薬等を噴霧するための動力噴霧機、特にバッテリ式動力噴霧機には、薬液タンクの側壁部にポンプを隣接配置した形態のものがあり、かかる場合、薬液タンクの側壁部に薬液取出口（液体取出口）が設けられるのが一般的である。薬液取出口が薬液タンクの最低部に設けられている場合には、薬液取出口とポンプの吸込口とを繋ぐ配管構造は比較的簡易なものとなる。しかしながら、タンク側壁部に薬液取出口が形成されている場合には、薬液を全て吸引できるようにするために、配管構造が複雑なものとなっている。例えば、従来においては、図３に示すような配管構造が用いられている。
【０００３】
図３に示すタンク・ポンプ間の配管構造は、薬液タンク１の側壁部２に形成された薬液取出口としての貫通孔３にナット４で取り付けられた管状の継手５と、継手５の外側端部５ａから延びポンプ吸込口６に接続されるホース７と、継手５の内側端部５ｂからタンク底部にまで延びるホース８とから構成されている。なお、符号８ａ，８ｂ，８ｃはホースバンドであり、符号９ａ．９ｂはパッキンである。
【０００４】
【発明が解決しようとする課題】
しかしながら、図３に示す配管構造においては、部品点数が多く、組立に手間がかかるという問題がある。すなわち、組立時にはまず、ホース８を継手５に取り付け、その後、薬液タンク１のキャップ（図示しない）を開けて、そこから継手５を薬液タンク１内に入れて貫通孔３に外側端部５ａを通し、ナット４で固定する。そして、ホース７で継手５とポンプ吸込口６とを接続する必要がある。特に、この組立作業において、継手５を薬液タンク１内に入れることは比較的困難な作業となっている。
【０００５】
また、薬液タンク１内のホース８が継手５から外れるおそれもあり、その場合のメンテナンスにも手間がかかる。
【０００６】
本発明は、かかる事情に鑑みてなされたものであり、その目的は、部品点数が少なく簡易な構成であるタンク・ポンプ間の配管構造を提供することにある。
【０００７】
【課題を解決するための手段】
上記目的を達成するために、本発明は、動力噴霧機（１０）における薬液タンクのようなタンク（１２）内に貯留された液体をポンプ（２０）の吸込口（３２）に供給するための配管構造（３４）において、　タンク（１２）の側壁部（１４）に形成された、外方に突出する筒状の液体取出口（３６）と、ポンプ（２０）の吸込口（３２）を囲むよう一端（４０）が該吸込口（３２）に装着され、他端（４２）が液体取出口（３６）からタンク（１２）内に延びる第１のホース（３８）と、一端（４６）が第１のホース（３８）の一端（４０）をポンプ（２０）の吸込口（３２）との間で挟むよう該吸込口（３２）に装着され、他端（４８）が液体取出口（３６）を囲むよう該液体取出口（３６）に装着される第２のホース（４４）とを備えることを特徴としている。
【０００８】
このような配管構造（３４）においては、部品としては基本的には２本のホース（３８，４４）しか必要がなく、その組立もタンク（１２）の外側からのみ行えばよく、簡易な構成である。
【０００９】
また、第２のホース（４４）における一端（４６）及び他端（４８）がそれぞれ、ホースバンド（５０，５２）により増締めされることが、ホース（３８，４４）り脱落防止、液漏れ防止という観点から好ましい。
【００１０】
【発明の実施の形態】
以下、図面を参照して本発明の好適な実施形態について詳細に説明する。
【００１１】
図１は、本発明による配管構造が適用されたバッテリ式動力噴霧機を示す背面図であり、図２は、図１のＩＩ−ＩＩ線に沿っての断面拡大図である。図示の動力噴霧機１０は、農薬等の薬液を貯留する薬液タンク１２を備えており、この薬液タンク１２の背面側の側壁部１４に形成された凹部１６に、薬液タンク１２内の薬液を吸引して噴霧ノズル１８に圧送するポンプ２０と、ポンプ２０を駆動するための電動モータ２２と、電動モータ２２に電力を供給するバッテリ２４とが配置されている。ポンプ２０の吐出口２６と噴霧ノズル１８との間のホース２８には、ポンプ２０から吐出される薬液の吐出圧を調整するための調圧弁３０が介設されており、この調圧弁３０も薬液タンク１２の凹部１６に配置されている。なお、通常使用時には、薬液タンク１２の凹部１６は、図示しないカバーにより閉じられる。
【００１２】
薬液タンク１２からポンプ２０の吸込口３２を結ぶ配管構造３４は、図２に明示する通りである。
【００１３】
すなわち、本実施形態における配管構造３４では、薬液タンク１２の薬液取出口（液体取出口）３６がタンク凹部１６の底部に一体的に形成され、外方に突出した円筒形状とされている。この薬液取出口３６は、好ましくは、薬液タンク１２に固定されたポンプ２０の吸込口３４に対して概ね同軸とされている。また、薬液取出口３６の内径はポンプ２０の吸込口３２の外径よりも十分に大きくされていることが好適である。
【００１４】
ポンプ２０の吸込口３２にはホース（第１のホース）３８の一方の端部４０が、当該吸入口３２を被包するように装着されている。ホース３８は可撓性であり、その内径は吸込口３２の外径よりも若干小さい。従って、ホース３８を吸込口３２に装着するのみで、吸入口３２とホース３８とは密着し、両者間がシールされる。
【００１５】
ホース３８の外径は薬液取出口３６の内径よりも小さい。従って、ホース３８を薬液取出口３６に容易に挿通することができ、薬液タンク１２の内部に配置された端部４２は薬液タンク１２内の底部にまで垂下される。なお、端部４２が薬液タンク１２の底面に接して閉塞することを防止するために、端部４２には切欠き４３が設けられていることが好ましい。
【００１６】
配管構造３４は、更に、ホース３８よりも短いホース（第２のホース）４４を有している。ホース４４も可撓性であり、その一方の端部４６の内径はホース３８の外径（吸込口３２に装着した状態での端部４０の外径）よりも僅かに小さくされ、他方の端部４８の内径は薬液取出口３６の外径よりも僅かに小さくされている。
【００１７】
ホース４４の端部４６は、ポンプ２０の吸込口３２に装着されている。この場合、端部４６と吸込口３２との間にホース３８の端部４０を挟持する形とされる。前述したように、ホース４４の端部４６はホース３８の外径よりも小さいため、ホース３８の上からホース４４を装着すると、ホース３８の端部４０とホース４４の端部４６との間にシール性が得られ、且つ、ホース３８の端部４０と吸込口３２との間のシール性が高められる。また、本実施形態では、ホース４４の端部４６の周囲にホースバンド５０を巻き締め付けているので、ホース３８，４４の吸込口３２からの脱落が防止されると共に、シール性が更に向される。
【００１８】
ホース４４の他方の端部４８は、薬液取出口３６を囲むようにして、薬液取出口３６に装着されている。ホース４４の端部４８と薬液取出口３６との間もシール性がある。更に本実施形態では、ホースバンド５２によりホース４４の端部が増締めされているので、薬液取出口３６に対する脱落防止効果及びシール性が高められている。
【００１９】
このような配管構造３４を組み立てる場合、ポンプ２０を薬液タンク１２の凹部１６の所定位置に取り付ける前に、ホース３８の端部４０をポンプ２０の吸込口３２に装着し、次にホース３８の上にホース４４を被せてホース４４の端部４６を吸込口３２に装着しておく。次に、ポンプ２０の取付作業と共に、ホース４４から突出しているホース３８を端部４２の側から薬液タンク１２の薬液取出口３６に挿入する。この後、ホース４４の端部４８を薬液取出口３６に装着する。最後に、予めホース３８に嵌めておいたホースバンド５０，５２をそれぞれホース４の端部４６，４８に締め付けて固定する。
【００２０】
この構成において、薬液タンク１２内に薬液を入れ、その液位が薬液取出口３６を越えて薬液取出口３６とホース３８との間から漏出しても、ホース４０と薬液取出口３６との間、及び、ホース４０とホース３８との間はシールされているので、外部に薬液が漏出することはない。そして、電動モータ２２を起動してポンプ２０を駆動すると、薬液タンク１２内の薬液はホース３８内を通ってポンプ２０の吸込口３２に吸い込まれる。この際、薬液の液位が底部付近にまで下がっても、ホース３８の端部４２から全量を吸引することができる。ポンプ２０に吸引された薬液は、ホース２８を経て、調圧弁３０により設定された吐出圧で、噴霧ノズル１８から噴霧される。
【００２１】
以上、本発明の好適な実施形態について詳細に説明したが本発明は上記実施形態に限られない。例えば、本発明は、バッテリ式動力噴霧機に限られず、エンジン式の動力噴霧機やその他のタンクとポンプを用いた装置にも適用可能である。
【００２２】
【発明の効果】
以上述べたように、本発明によれば、液体の取出口をタンクの底部に形成することができず、タンクの側壁部に形成される場合であっても、基本大気には２本のホースのみで配管構造を構成することができる。従って、部品点数が少なく、コストも安価なものとなる。
【００２３】
また、タンクの外側から配管構造を組み立てることができ、作業性が極めて良好となり、メンテナンスも容易となる。更にタンク内に延びる第１のホースがポンプ吸込口から外れても、タンク内に落下する可能性自体も少ない。
【００２４】
更にまた、本発明による配管構造は、安価であり且つ簡易な構成であるので、タンクの側壁部に積極的に液体取出口を設けることができ、装置構成要素の配置レイアウトの多様化を図ることができる。
【図面の簡単な説明】
【図１】本発明が適用されたバッテリ式動力噴霧機を示す背面図である。
【図２】図１のＩＩ−ＩＩ線に沿ったの断面図であり、本発明によるタンク・ポンプ間の配管構造を示す図である。
【図３】従来のタンク・ポンプ間の配管構造を示す、図２と同様な断面図である。
【符号の説明】
１０…動力噴霧機、１２…薬液ノズル、１４…側壁部、１６…凹部、１８…噴霧ノズル、２０…ポンプ、３２…吸込口、３４…配管構造、３６…薬液取出口、３８…ホース（第１のホース）、４０，４２…ホース３８の端部、４４…ホース（第２のホース）、４６，４８…ホース４４の端部、５０，５２…ホースバンド。
【図１】
2004066087.tif 000003
【図２】
2004066087.tif 000004
【図３】
2004066087.tif 000005